(57)【要約】【課題】電気機器に搭載する電源回路において、待機電力を低減する構成をより一般的な電気機器で広く活用できるようにすることを目的とする。【解決手段】機器の機能を成す複数の機能手段２と、この機能手段２の動作を制御する制御手段３と、機能手段２の動作電力の供給源となる規定電圧に安定化された１次電源と、制御手段３の動作電力の供給源となる２次電源と、１次電源の電力を一部消費して動作し、負荷側に更に降圧した電圧を２次電源として供給する電圧降圧手段４とを備え、制御手段３は２次電源を電源とし、機能手段２は全て１次電源を電源として動作する構成にしたことにより、電圧降圧手段４は機能手段２の動作電力の変化に関わらず制御手段３に要される最低限度の電力供給に特化できるため電源の回路構成の複数搭載が不要となって待機電力低減に伴うコスト増を抑制できる。【選択図】図１
2015042011.tif 000002
【特許請求の範囲】
【請求項１】
電気機器に搭載する主電力の供給源となる規定の電圧に安定化された１次電源と、
前記１次電源を入力として、その電力の一部を消費することで更に電圧を降圧して負荷側に要求される電圧と動作電力を２次電源として変換し出力する電圧降圧手段と、
機器の機能を成す直流電源で動作する１つ以上の機能手段と、
機器において最低限度の電力を消費して動作することで前記機能手段の動作を制御する制御手段とを備えた構成において、
前記制御手段は２次電源を電源とし、また全ての前記機能手段は１次電源を電源として動作する構成とした制御装置の電源回路。
【請求項２】
前記制御手段は、マイクロコンピューターを主要の構成とし、
前記マイクロコンピューターは、制御処理のための基準となる周波数自体を制御処理の中で切替えることが可能であり、且つ基準の周波数を低周波側に切替えることで自己の電力消費を低減できるものであって、基準の周波数を制御処理に支障が生じない範囲で低周波側に設定するものとした請求項１に記載の制御装置の電源回路。
【発明の詳細な説明】
【技術分野】
【０００１】
本発明は、電気機器に制御のために搭載される制御回路の構成に対して安定した降下電圧を供給しながら機器の待機時の電源出力の軽負荷時には電源の電力消費量を低減させる制御装置の電源回路に関するものである。
【背景技術】
【０００２】
近年、電気機器に搭載される制御装置の電源回路においては省電力の観点から主電力源が通電された状態にはあるが電気機器を停止させている、いわゆる待機状態において消費される、一般的に待機電力として知られる主電力源から消費される電力をできる限り低減させることができる電源の回路構成が必要とされている。
【０００３】
ところで、電気機器に搭載される機器の制御を担う制御装置の制御回路の主体は、高圧交流の商用電源から降圧安定化の電源の回路構成により例えば３Ｖから６Ｖの低圧に安定化させた電圧を電源として動作するマイクロコンピューターを用いて構成することが、極一般化している。
【０００４】
なお、同マイクロコンピューターはプログラムとしてメモリー上に記憶している機器の動作の手順を規定の周波数の時間間隔に基づき順次処理することにより、機器の制御処理の動作を実行するものである。
【０００５】
また、マイクロコンピューターは手順を処理する規定の周波数が高周波であるほど単位時間あたりにより多くの手順を処理することが可能となるが消費電力は増加することとなる。
【０００６】
このような、マイクロコンピューターを主体とした制御回路においては機器を通常の動作状態に制御している時に対して待機状態に制御している時には制御の対象となる機器に搭載する機器の機能を成す回路構成の動作も停止させることから、電源の回路構成から消費する電力もマイクロコンピューターの制御処理の動作に要される電力が主となることから機器の待機状態が最低となる。
【０００７】
このことから、待機状態における主電力源の電力消費をより少なくすることで待機電力の低減を図るためには、制御回路にて待機状態に制御している時に消費する電源の回路構成に対しては軽負荷となる最低限度の電力を供給している状態において、電源の回路構成の電力変換効率がより高効率であるほど有利であることが分かる。
【０００８】
ところが、電源の回路構成は、機器の通常動作状態における負荷側に対して、より多くの電力供給が必要とされる状態において回路構成の発熱を抑制するために、電力変換効率が最高となるように設計する必要がある。
【０００９】
よって、通常、軽負荷時の出力側への供給電力に対して電力変換に要する自己の消費電力が大きくなるために待機電力をある程度以上に低減させることは電源回路の基本的な構成上難しいことから、この点を改善し更に待機電力を低減させることができる電源の回路構成が求められている。
【００１０】
従来、この種の課題に対応する制御装置の電源回路としては、制御回路の電力負荷に対して主電力源の側となる高圧の電力供給源から安定化させた低電圧の電力を変換し供給する電源の回路構成として、機器が通常動作状態であって負荷側に多くの電力供給が要求される時に高効率となる、例えばスイッチングレギュレーターと、待機状態であって負荷側に最低限度の電力供給を要求される時には効率的な電力供給が可能となるシリーズレギュレーターの２つの構成を備えて、待機状態においてはスイッチングレギュレーターの動作を停止させてシリーズレギュレーターからのみ負荷側に電力を供給することにより、主電力源から消費される待機電力をより低減させるようにした構成が知られている（例えば、特許文献１参照）。
【００１１】
以下、その制御装置の電源回路について図３を参照しながら説明する。
【００１２】
図３に示すように、入力端子１００の側から供給される入力電圧を所定の出力電圧に変換し出力端子１０１から負荷側に対して電力を供給する、負荷側の消費電力が高い時に高効率の電力変換が行えるスイッチングレギュレーターにて構成される第一の回路１０２と、前記入力電圧を入力するとともに、自己の出力電圧が所定電圧となるようにその出力電圧を制御する負荷側の消費電力が低い時に高効率の電力変換が行えるシリーズレギュレーター１０３とを備えている。
【００１３】
以上の構成において、電源に要求される出力負荷が大きな場合には第一の回路１０２を動作させ、前記負荷が小さな場合には第一の回路１０２の動作を停止させてシリーズレギュレーター１０３から出力端子１０１に対して電力を供給するようにして、機器の待機状態においては供給電力が低い時に高効率となるシリーズレギュレーター１０３のみから負荷側に電力を供給することで待機電力を低減させるものであった。
【先行技術文献】
【特許文献】
【００１４】
【特許文献１】特許第３５０９８０６号公報
【発明の概要】
【発明が解決しようとする課題】
【００１５】
このような従来の制御装置の電源回路においては、制御回路で機器を待機状態に制御していることで負荷側において最低限度の電力供給のみが要求される時には第一の回路１０２の動作を停止させてシリーズレギュレーター１０３から出力端子１０１に対して電力を供給することから、供給電力が低い時に高効率となるシリーズレギュレーター１０３のみから負荷側に電力を供給することで待機電力を低減する構成となっていた。
【００１６】
このことから、電源の回路構成に対し負荷側に最低限度の電力供給のみが要求される機器を制御回路で待機状態に制御している時の待機電力をより低減させるために第一の回路１０２とシリーズレギュレーター１０３の２種が電源の回路構成として必要であった。
【００１７】
よって、制御回路への電力の安定供給のために１つの電源の回路構成のみで対応する旧来の構成に対して複数（２種以上）の搭載が必要となることでコスト増加の要因となることから、一般的な電気機器において広く活用することの妨げとなる課題を有していた。
【００１８】
そこで本発明は、上記従来の課題を解決するものであり、待機電力の低減に伴うコストの増化を抑制することにより、一般的な電気機器においてより広く活用し易い制御装置の電源回路を提供することを目的とする。
【課題を解決するための手段】
【００１９】
そして、この目的を達成するために、本発明は、電気機器に搭載する主電力の供給源となる規定の電圧に安定化された１次電源と、前記１次電源を入力として、その電力の一部を消費することで更に電圧を降圧して負荷側に要求される電圧と動作電力を２次電源として変換し出力する電圧降圧手段と、機器の機能を成す直流電源で動作する１つ以上の機能手段と、及び機器において最低限度の電力を消費して動作することで前記機能手段の動作を制御する制御手段とを備えた構成において、前記制御手段は２次電源を電源とし、また全ての前記機能手段は１次電源を電源として動作する構成にしたものであり、これにより所期の目的を達成するものである。
【発明の効果】
【００２０】
本発明によれば、電気機器に搭載する主電力の供給源となる規定の電圧に安定化された１次電源と、前記１次電源を入力として、その電力の一部を消費することで更に電圧を降圧して負荷側に要求される電圧と動作電力を２次電源として変換し出力する電圧降圧手段と、機器の機能を成す直流電源で動作する１つ以上の機能手段と、及び機器において最低限度の電力を消費して動作することで前記機能手段の動作を制御する制御手段とを備えた構成において、前記制御手段は２次電源を電源とし、また全ての前記機能手段は１次電源を電源として動作する構成にしたことにより、前記機能手段は全て１次電源を電源として動作するために前記電圧降圧手段は前記機能手段の動作状態による供給電力の変化を考慮不要なって、単独で前記制御手段の動作のみに要とされる最低限度の電力を２次電源として供給するものに特化できることで電源の回路構成の複数搭載が不要となって、待機電力の低減に伴うコストの増化を抑制できることとなるので、一般的な電気機器において広く活用し易い制御装置の電源回路を提供できるという効果を得ることができる。
【図面の簡単な説明】
【００２１】
【図１】本発明の実施の形態１の電源回路の概略の回路構成を示すブロック図
【図２】同電源回路の一部を抜き出して示した概略の回路図
【図３】従来の制御装置の電源回路の構成を示す回路図
【発明を実施するための形態】
【００２２】
本発明の請求項１記載の制御装置の電源回路は、電気機器に搭載する主電力の供給源となる規定の電圧に安定化された１次電源と、前記１次電源を入力として、その電力の一部を消費することで更に電圧を降圧して負荷側に要求される電圧と動作電力を２次電源として変換し出力する電圧降圧手段と、機器の機能を成す直流電源で動作する１つ以上の機能手段と、及び機器において最低限度の電力を消費して動作することで前記機能手段の動作を制御する制御手段とを備えた構成において、前記制御手段は２次電源を電源とし、また全ての前記機能手段は１次電源を電源として動作する構成を有する。これにより、前記機能手段は全て１次電源を電源として動作するために前記電圧降圧手段は前記機能手段の動作状態による供給電力の変化を考慮不要なって、単独で前記制御手段の動作のみに要とされる最低限度の電力を２次電源として供給するものに特化できることで電源の回路構成の複数搭載が不要となって、待機電力の低減に伴うコストの増化を抑制できることとなるので、一般的な電気機器において広く活用し易い制御装置の電源回路を提供できるという効果を奏する。
【００２３】
また、前記制御手段は、マイクロコンピューターを主要の構成として、前記マイクロコンピューターは、制御処理のための基準となる周波数自体を制御処理の中で切替えることが可能であり、且つ基準の周波数を低周波側に切替えることで自己の電力消費を低減できるものであって、基準の周波数を制御処理に支障が生じない範囲で低周波側に設定する構成にしてもよい。これにより、機器に機能制御に要される制御処理に支障が生じない範囲で基準の周波数を低周波側に設定することで制御処理に要する電力消費の低減が行え、よって前記電圧降圧手段に求められる電力容量も低下できるために、より低コストとなる電源の回路構成を用いることができることから、待機電力の低減に伴うコストの増化を更に抑制できることとなるので、一般的な電気機器においてより広く活用し易い制御装置の電源回路を提供できるという効果を奏する。
【００２４】
以下、本発明の実施の形態について図面を参照しながら説明する。
【００２５】
（実施の形態１）
図１は制御機能を備えた電気機器に搭載される制御回路の構成の概略を示している。
【００２６】
図上、破線の囲み枠は機器の本体となる外郭１を示している。
【００２７】
同外郭１の内部に機器の機能を成す、複数の機能手段２（図上は１つの構成として記載）と、この機能手段２の動作を電圧信号により制御するための制御手段３を備えている。
【００２８】
また、機能手段２の動作のための電力の供給源となる、図上、Ｖ１で示している規定の電圧に安定化された１次電源と、及び制御手段３の動作のための電力の供給源となる、図上、Ｖ２で示している要求される規定の電圧に安定化された２次電源を備えている。
【００２９】
また、２次電源を供給するために１次電源の電力の一部消費することで動作し、負荷側に対して更に降圧した電圧を出力する電圧降圧手段４を備えている。
【００３０】
更に、１次電源の負荷で高電圧側となる各機能手段２の動作を２次電源の負荷で低電圧側となる制御手段３からの電圧信号により制御して操作できるように各機能手段２に応じて制御手段３との間に信号電位変換手段５を備えるものである。
【００３１】
ここで、１次電源は、その生成のために特定の構成を規定するものでは無く、負荷側にて求められる電圧と電力を安定して供給できる構成であれば特には問わない。
【００３２】
例えば、交流高圧の商用電源を電力供給源として交流電圧を整流後、トランスの１次側に断続電流を導通させることでトランスの２次側に降圧した電圧を生じ発生させた後、整流化することで直流電圧を得て、同直流電圧の値を帰還し基準電圧と比較することで断続周期や間隔を変化させることで規定の電圧値に出力する電圧を安定化させる、所謂スイッチングレギュレーターの構成を用いても構わない。
【００３３】
又は、電荷を蓄えることにより規定の電圧にて負荷側に対して一定時間の電力を供給するバッテリー等の蓄電池の出力であっても構わない。
【００３４】
また、１次電源の電圧も特定するものではないが、空調機器等の一般的な多くの電気機器においては標準的には１５Ｖ前後となる。
【００３５】
ここで、機能手段２は機器の主要な機能を成すものであって、一例としては空調機器等における送風装置の駆動力源となる比較的大きな電力を消費することで動作するＤＣモーターや、このＤＣモーターの駆動ＩＣや駆動動力用として制御手段３に要求される以上の電圧を要するもの等を示す。
【００３６】
あるいは、制御手段３の制御対象となって電圧信号により状態が変化することで特定の機能を成すＬＥＤ等の表示装置やブザー等の発音装置等の比較的小さな電力を消費することで動作する機能素子を示すが、本実施の形態の要旨には関係しないことから詳細の説明は省く。
【００３７】
ここで、制御手段３は、いわゆる１チップのマイクロコンピューターを主要の構成としたものである。
【００３８】
このマイクロコンピューターは、演算や判断処理を行う中央演算装置や、外部の電圧変化の信号を取り込み、且つ出力できる入出力端子や、アナログ電圧信号をデジタル値に変換して取り込めるＡ／Ｄ入力端子や、動作手順をソフトウェアーとして記憶するためのリードオンリーメモリーや、演算や判定状態を一時的に保存するランダムアクセスメモリー等を一体としたものである。
【００３９】
また、リードオンリーメモリー上に一連の制御処理の手順をソフトウェアー記述のプログラムとして記憶させ、この手順を一定の基準となる周波数であるところの、所謂クロック信号の時間間隔に基づき順次処理を実行することにより、機器の制御動作を単独で処理して実行できるものである。
【００４０】
なお、マイクロコンピューターに備わる入出力端子は、電源の電圧が起動電圧以下で制御処理の動作が停止した状態にあれば高抵抗状態として電流の入出力が行われない状態であることが基本的仕様であることが一般的である。
【００４１】
よって、電源が起動電圧以上に変化した以降において、リードオンリーメモリー上に記憶させたソフトウェアー記述に基づく内部処理に基づいて電源電位となるＨｉ電位や基準電位（ＧＮＤ）となるＬｏ電位、もしくは高抵抗状態の入力端子として状態を選択することとなる。
【００４２】
このマイクロコンピューターにおいて消費する電力は、通常、単位時間あたりにより多くの手順処理を要するプログラムであれば増加し、また前述のクロック信号の周波数が高いほど単位時間あたりにより多くの手順を処理することが可能となるが電力消費は増加することとなる。
【００４３】
また、近年、クロック信号の周波数がプログラムにより制御処理の中で切替え可能であるものも一般化されている。
【００４４】
よって、この周波数の切替え可能なものを用いることで短時間当たりに要求される制御処理に遅れが生じない限りおいて、クロック信号を低周波方向に切替えることにより消費する電力を更に低減させるようにしている。
【００４５】
このようなマイクロコンピューターにおいて、多くの電気機器に搭載される標準的なものにあっては、その消費電力は、クロック信号の周波数にもよるが、電源の電圧を５Ｖとして一例で示せば、比較的に単位時間あたりの手順処理が高負荷の場合３ｍＡ前後の電流を要することから１５ｍＷ程度を消費する。
【００４６】
また、単位時間あたりの手順処理が低負荷であれば１ｍＡ前後の電流を要することから消費電力は５ｍＷ程度となる。
【００４７】
更に、単位時間あたりの手順処理が低負荷で、クロック信号を低周波方向に切替え可能である時は、０．５ｍＡ前後に電流を低下できることから消費電力は２．５ｍＷ程度に低減できることとなる。
【００４８】
なお、マイクロコンピューターにおいて機器を通常の動作状態に制御している状態に対して待機状態に制御している時に要求される制御処理は、外部から入力端子に入力される状態移行のトリガー信号の待受（待機状態から通常運転状態への移行の利用者によるスイッチ操作等）程度となることが一般的である。
【００４９】
従って、機器を待機状態に制御している時に制御処理における演算や判断の手順の処理数が通常最低となることから、消費する電力も最低となり、例えば前述した通り、機器を通常の動作状態に制御している時に１５ｍＷ程度を消費する場合にあっては、待機状態では５ｍＷ程度の電力を消費することとなる。
【００５０】
さらに、更にクロック信号を低周波方向に切替えることができる状態であれば２．５ｍＷ程度に低減できることとなる。
【００５１】
なお、機能手段２としてはマイクロコンピューターに加え、例えば、制御手段３に対して正常動作電圧範囲での初期化電圧信号を与えるリセット回路や入出力端子のインピーダンス低減用のプルアップやプルダウンの抵抗素子等の制御処理の動作のために必要となる最低限度の構成を含んでいる。
【００５２】
また、機器の待機時においても必要となる、例えば周囲環境や機器動作の状態を把握するための温湿度検知等のセンサー回路や遠隔操作機能を成すためのリモコン操作信号受信の回路等であって、動作のためにマイクロコンピューターと同程度の数ｍＡ以下の電力しか要さない制御処理の動作のために最低限度必要となる構成も含むものである。
【００５３】
しかしながら、通常、このマイクロコンピューターの動作に必要とされる最低限度の構成はプルアップやプルダウン等の基本的には電流を流さない抵抗素子や、あるいはリセット回路であれば数μから数ｍＡ程度の僅かな電流で動作するものであるために、ほぼ主電源に対する電力消費の大小にほぼ影響しないことから図上にも示さず、詳細の説明は省くものとする。
【００５４】
なお、機器を待機状態に制御している時は、一般的に分岐の少ない一定処理の繰り返しが制御処理の主となるために前記の消費電力も、ほぼ変動なく一定化することとなる。
【００５５】
また、各機能手段２も制御手段３の制御処理によって機器の待機状態にあっては能動的動作（モーターの動作や定常的なブザーの発音、およびＬＥＤの点灯等）が不要となることから一般的に待機状態においては電力消費を生じないこととなる。
【００５６】
ここで、電圧降圧手段４は、負荷側となる制御手段３において最低限度の動作電力の供給を要求される状態あるところの機器の待機状態おいて１次電源から電圧を降下させて規定する電圧の２次電源を生成するものである。
【００５７】
このことから、電圧降圧手段４はとしては、例えば負荷側への低電力の供給にあっては低電圧降下の動作に伴う自己の消費電力が小さくなることで、その他の低電圧変換の回路と比較して効率的に電圧が変換できる特徴が有る、一般的には複数の回路素子で構成するディスクリート回路や、同構成を１チップ化した集積回路素子からなるシリーズレギュレーターを用いることが適している。
【００５８】
なお、一般的に電源の回路構成においてはシリーズレギュレーターの構成も含めて、出力側に要求される供給電力が大きい程、構成素子として高い耐電力性能を備えたものを用いる必要がある。
【００５９】
ここで、一般的に回路素子は耐電力性能に優れるほど高価となり、導通電力の加熱による温度上昇を抑制するために放熱器の追加も必要となる場合もあることから、回路の構成のコスト増大を招くこととなる。
【００６０】
このことから、要求される供給電力が少ない程、コストの低減には有利と成ることから、電圧降圧手段４の負荷となる制御手段３であるところのマイクロコンピューターにおいては、動作基準の周波数を切替え可能なものを用いるものとして短時間当たりに要求される制御処理に遅れが生じない限りおいて、低周波方向に切替えることで消費電力を可能な限り低減させるようにしていることは、前述の通りである。
【００６１】
なお、電圧降圧手段４としてはシリーズレギュレーターの応用を規定するものでは無く、スイッチングレギュレーターの構成を用いても構わない。
【００６２】
なお、制御手段３が、待機状態から通常動作状態の制御動作の全てにおいて消費電力が大きく変動すること無く、２次電源より略一定の電流を消費する抵抗負荷と等価と見なせる時には、この等価の抵抗負荷に直列に接続して１次電源からの電流を導通させたとき、制御手段３の許容する範囲の電圧を分圧して制御手段３の両端に２次電源として電圧を生じさせる分圧抵抗体を電圧降圧手段４として用いることもできる。
【００６３】
この分圧抵抗体の実応用おいては、前述した通り、例えば１次電源が１５Ｖで２次電源が５Ｖの規定の電圧であり、機器を待機状態に制御時の制御手段３の消費電力が１０ｍＷであれば、制御手段３を２．５ｋΩ等価抵抗値と同等と見なせることから、５ｋΩで耐電力性能が２０ｍＷ以上の抵抗値を用いることができる。
【００６４】
また、制御手段３においてクロック信号を低周波化することでの消費電力が７．５ｍＷとなれば３．３ｋΩの等価抵抗値と同等と見なせることから、抵抗値は６．７ｋΩの耐電力性能が１５ｍＷ以上となる、より定格電力の小さな非常に小型の抵抗素子を用いることができる。
【００６５】
このように、分圧抵抗体は定格電力が小さい小型となる抵抗素子を適用できることなり、このような小型の抵抗素子は汎用品であって一般的に使用される回路素子の中でも最も多く使用され流通量も多いことから、多種の回路素子の中においても比較的に最も安価で、且つ容易に入手できることが利点となる。
【００６６】
また、シリーズレギュレーターにおいては低電圧降下の回路動作そのものにも１ｍＷから１０ｍＷ程度の電力消費が必要となるが分圧抵抗体を用いれば電圧降下における電力消費しか生じないために１次電源からの電力消費を更に低減できることとなる。
【００６７】
ここで、信号電位変換手段５は、例えば図２に示しているように入力される電流に対して高電位となる出力側において１００倍以上の電流導通を切替えることができる素子で有るところのトランジスター素子６を構成するものである。
【００６８】
図２は１つの対象となる機能手段２と、マイクロコンピューターであるところの制御手段３と、対象となる機能手段２の電流導通を切替えるための信号電位変換手段５のみを抜き出して示した概略の回路図である。
【００６９】
なお、ここでは対象となる機能手段２は、電流の導通により発光することで機器の周囲に制御状態を発光状態の変化で報知する表示素子であるところのＬＥＤ素子７を１例として説明を行う。
【００７０】
この信号電位変換手段５の構成においては制御手段３を構成するマイクロコンピューターの出力端子３ａとＮＰＮ型のトランジスター素子６のベース端子の間にはベース電流を必要な規定値以下に制限するための制限抵抗８ａを配置し、ＬＥＤ素子７のアノード端子は１次電源の正極側に接続してカソード端子にはＬＥＤへの導通電流を規定値以下に制限するための制限抵抗８ｂを配置してトランジスター素子６のコレクター端子に接続して構成している。
【００７１】
ここで、トランジスター素子６はコレクター・エミッター端子間の電流導通が切替え可能なものであれば特別な規定条件は無いことから、安価で入手性に優れる一般的な低速スイッチ切替え用のトランジスター素子を用いることができる。
【００７２】
さらに、制限抵抗８ａは制御手段３の出力端子３ａから出力される２次電源の電圧印加によりトランジスター素子６が導通状態に移行する電流を導通させるための素子である。しかし、トランジスターは一般的に入力される電流の１００倍以上の電流の導通を切替えることができる素子で有り、トランジスター素子６の導通切替えの対象自体も前述の通り微小電流であることから高い抵抗値のものを用いることができる。
【００７３】
よって、制御手段３の出力端子３ａからＬｏ電位を出力している状態であれば制限抵抗８ａを介してベース電流が流れない。そのため、トランジスター素子６のコレクターとエミッター間は開放状態となって、制限抵抗８ｂを介してＬＥＤ素子７に１次電源からの電流は流れず、ＬＥＤ素子７は消灯状態を保つことができる。
【００７４】
また、制御手段３の出力端子３ａからＨｉ電位を出力している状態であれば制限抵抗８ａを介してベース電流が流れるためにトランジスター素子６のコレクターとエミッター端子間は導通状態となって、制限抵抗８ｂを介してＬＥＤ素子７には１次電源からの電流が流れ、ＬＥＤ素子７は点灯状態に変化することとなる。
【００７５】
なお、ＬＥＤ素子７に対して仮に１００ｍＡ程度の比較的大きな電流の導通が必要される仕様であっても、トランジスター素子６のベース電流は前述の通り１／１００倍程度で構わないことから、出力端子３ａからは１ｍＡ程度の電流を出力すれば良い。
【００７６】
このことから、２次電源の電圧が５Ｖで有る時には、約５ｍＷ程度の微小な電力消費の有無で機能手段２であるところのＬＥＤ素子７の消灯と点灯の切替えを制御できることとなる。
【００７７】
よって、信号電位変換手段５としては制御対象となる機能手段２に要求される導通電流の切替えを出力端子３ａからの最低電流の出力で制御できることが条件となり、実用化においてはこの条件に合致するものであればトランジスター素子６に限らず電界効果トランジスターや専用のゲートデバイスＩＣ等の適切な素子を用いても構わない。
【００７８】
このような構成によれば、機能手段２は全て１次電源を電源として動作する構成としていることから電圧降圧手段４においては機能手段２の動作状態による供給電力の変化を考慮不要なって、制御手段３の動作のみに要とされる最低限度の電力を２次電源として供給するものに特化できることとなる。
【００７９】
よって、電源の回路構成の複数搭載が不要となって、待機電力の低減に伴うコストの増化を抑制できることとなるので、一般的な電気機器において広く活用し易くすることができる。
【００８０】
また、機器に機能手段２はマイクロコンピューターを主要の構成として制御処理に支障が生じない範囲で基準の周波数を低周波側に設定することで制御処理に要する電力消費の低減が行えるものを用いていことから、電圧降圧手段４に求められる電力容量もさらに低下できることとなる。
【００８１】
よって、より低コストとなる電源の回路構成を用いることができることから、待機電力の低減に伴うコストの増化を更に抑制できることとなるので、一般的な電気機器においてより広く活用し易くすることができる。
【産業上の利用可能性】
【００８２】
本発明にかかる制御装置の電源回路は、電気機器に制御のために搭載される制御回路の構成に対してコスト増の要因を抑制しながら機器の待機時には電力消費を低減させることができる構成であるために、一般的な電気機器や電気装置の全般に広く搭載できる制御装置の電源回路等として有用である。
【符号の説明】
【００８３】
２  機能手段
３  制御手段
４  電圧降圧手段
【図１】
2015042011.tif 000003
【図２】
2015042011.tif 000004
【図３】
2015042011.tif 000005